(57)【特許請求の範囲】
【請求項１】
ウォッチバンドの識別のための方法であって、前記方法は、
少なくとも１つのウォッチバンドを電子ウォッチの少なくとも１つの筐体に接続することであって、前記少なくとも１つのウォッチバンドは前記少なくとも１つの筐体をユーザの身体に取り付けることができる、少なくとも１つの筐体に接続することと、
前記少なくとも１つのウォッチバンドの少なくとも１つの識別素子を検出するように、前記少なくとも１つの筐体の少なくとも１つのセンサを用いることと、
前記少なくとも１つのセンサを用いて、ウォッチバンドのグループから前記少なくとも１つのウォッチバンドを識別することであって、前記ウォッチバンドのグループの各々は前記少なくとも１つの筐体に接続可能であり、前記ウォッチバンドのグループは、
第１の識別素子を有する第１のウォッチバンドと、
第２の識別素子を有する第２のウォッチバンドと、
を含む、前記少なくとも１つのウォッチバンドを識別することと、
を含む方法。
【請求項２】
前記少なくとも１つの識別素子が、少なくとも１つの磁気素子を含む、請求項１に記載の方法。
【請求項３】
前記少なくとも１つの磁気素子が、前記少なくとも１つのウォッチバンドを、前記少なくとも１つの筐体に接続すること、又は、前記少なくとも１つのウォッチバンドを、前記少なくとも１つの筐体から切り離すことのうちの少なくとも一方をするように、用いられる、請求項２に記載の方法。
【請求項４】
前記少なくとも１つのセンサが、少なくとも１つのホール効果センサを含む、請求項２に記載の方法。
【請求項５】
前記少なくとも１つの磁気素子が、永久磁石又は電磁石の少なくとも１つを含む、請求項４に記載の方法。
【請求項６】
前記少なくとも１つの磁気素子が、複数の個別の磁気素子の少なくとも１つ、又は複数の個々に構成可能な磁気面を有する少なくとも１つの磁気素子を含む、請求項４に記載の方法。
【請求項７】
前記少なくとも１つの磁気素子が、前記少なくとも１つのホール効果センサにより検出される、少なくとも１つの磁気コードを生成する、請求項４に記載の方法。
【請求項８】
前記少なくとも１つのホール効果センサは複数のホール効果センサを含む、請求項７に記載の方法。
【請求項９】
前記少なくとも１つの磁気素子は複数の磁気素子を含み、前記複数のホール効果センサのそれぞれが、前記複数の磁気素子の１つを検出する、請求項８に記載の方法。
【請求項１０】
少なくとも１つのウォッチバンドを、少なくとも１つの筐体に接続する前記動作が、前記少なくとも１つのウォッチバンドを、前記少なくとも１つのセンサに向かう方向に移動させることを含む、請求項１に記載の方法。
【請求項１１】
少なくとも１つのウォッチバンドを、少なくとも１つの筐体に接続する前記動作が、前記少なくとも１つのウォッチバンドを、前記少なくとも１つのセンサに平行な方向に移動させることを含む、請求項１に記載の方法。
【請求項１２】
前記少なくとも１つのセンサを用いて、前記少なくとも１つのウォッチバンドを識別する前記動作が、前記少なくとも１つの筐体にウォッチバンドが接続されていることを識別することを含む、請求項１に記載の方法。
【請求項１３】
前記少なくとも１つの筐体が、ウォッチボディである、請求項１に記載の方法。
【請求項１４】
前記少なくとも１つのセンサを用いて、前記少なくとも１つのウォッチバンドを識別する前記動作が、前記少なくとも１つのウォッチバンドが少なくとも、ウォッチバンドの第１の種類であるか、又はウォッチバンドの第２の種類であるかを識別することを含む、請求項１３に記載の方法。
【請求項１５】
前記少なくとも１つのウォッチバンドが、前記第１の種類として識別された場合には第１の方法にて、及び、前記少なくとも１つのウォッチバンドが、前記第２の種類として識別された場合には第２の方法にて、前記電子ウォッチにより提示される少なくとも１つのインタフェースの少なくとも１つの要素を構成することを更に含む、請求項１４に記載の方法。
【請求項１６】
前記少なくとも１つのセンサを用いて、前記少なくとも１つのウォッチバンドを識別する前記動作が、前記少なくとも１つの筐体に前記少なくとも１つのウォッチバンドが少なくとも第１の位置又は第２の位置にて接続されたかを識別することを更に含む、請求項１に記載の方法。
【請求項１７】
前記少なくとも１つのセンサが、前記少なくとも１つの筐体に完全に封入されている、請求項１に記載の方法。
【請求項１８】
前記少なくとも１つの識別素子が、
少なくとも１つの近距離通信レシーバにより検出可能な少なくとも１つの近距離通信トランスミッタ、
少なくとも１つの光学検出器により検出可能な少なくとも１つの有色インジケータ、
少なくとも１つのバーコードリーダーにより検出可能な少なくとも１つのバーコード、  少なくとも１つの機械的機構検出器により検出可能な少なくとも１つの機械的機構、
少なくとも１つの接点により検出可能な少なくとも１つの電極、
少なくとも１つの赤外線検出器により検出可能な少なくとも１つの赤外線放射器、又は  少なくとも１つの光検出器により検出可能な少なくとも１つの発光素子、
のうちの少なくとも１つを含む、請求項１に記載の方法。
【請求項１９】
ウォッチバンドの識別のためのシステムであって、
電子ウォッチの少なくとも１つの筐体と、
前記少なくとも１つの筐体に接続可能であり、前記少なくとも１つの筐体をユーザの身体に取り付け可能な、少なくとも１つのウォッチバンドと、
前記少なくとも１つのウォッチバンドに連結された少なくとも１つの識別素子と、
前記少なくとも１つのウォッチバンドが、前記少なくとも１つの筐体に接続されている場合に、前記少なくとも１つの識別素子を検出する、前記少なくとも１つの筐体に連結された少なくとも１つのセンサと、
を備えるシステムであって、
前記少なくとも１つのウォッチバンドが、前記少なくとも１つのセンサに少なくとも基づいてウォッチバンドのグループから識別され、前記ウォッチバンドのグループの各々は前記少なくとも１つの筐体に接続可能であり、前記ウォッチバンドのグループは、
第１の識別要素を伴う第１のウォッチバンドと、
第２の識別要素を伴う第２のウォッチバンドと、
を有する、システム。
【請求項２０】
電子ウォッチの少なくとも１つの筐体と、
前記少なくとも１つの筐体をユーザの身体に取り付け可能な少なくとも１つのウォッチバンドが、前記少なくとも１つの筐体に接続されている場合に、前記少なくとも１つのウォッチバンドの少なくとも１つの識別素子を検出する、前記少なくとも１つの筐体に連結された少なくとも１つのセンサと、
を備える電子ウォッチであって、
前記電子ウォッチが、前記少なくとも１つのセンサに少なくとも基づいて、前記少なくとも１つのウォッチバンドを識別する、電子ウォッチ。
【発明の詳細な説明】
【技術分野】
【０００１】
本開示は全般的に接続可能なコンポーネントに関し、より具体的には、接続可能なコンポーネントの識別に関する。
【背景技術】
【０００２】
多くのデバイスが、接続可能なコンポーネントを含んでいる。例えば、スポーツモニター及びヘルスモニター、並びに、ユーザの身体に着用する他のデバイスは、１つ以上のバンドに接続可能な場合がある。そのようなバンドは、ユーザの手首又は他の体の部位にそれらデバイスを固定する目的で、そのようなデバイスの重要な部位である場合がある。そのようなバンドはまた、デバイスに対するユニークなスタイリング及び快適性を提供してもよい。
【０００３】
様々な種類の材料、色、及びスタイルのバンドを含むがこれらに限定されない、様々な異なる種類のバンドが、着用可能なデバイスに利用可能であってよい。いくつかの種類、例として、タイトフィッティングシリコンバンドが、身体活動のためにデザインされてよい。他の種類、例として、メタルリンクバンドが、社会状況におけるスタイル及び使用のためにデザインされてよい。
【０００４】
様々な異なる種類のバンドが、着用可能なデバイスに利用可能であってよいことから、ユーザが、様々なバンドをすばやく、容易に取り替えることができるように、クイックアタッチメント機構及びクイックデタッチメント機構が利用可能であってよい。ユーザは、ユーザのアクティビティ、ムード、又は服装に基づいて、様々なバンドを取り替えることができる。
【発明の概要】
【０００５】
本開示は、接続可能なコンポーネントの識別のためのシステム及び方法を開示する。接続可能なコンポーネントは、筐体に接続されてよい。筐体のセンサが、接続可能なコンポーネントの識別素子を検出するように用いられてよい。接続可能なコンポーネントは、少なくとも１つのセンサを用いて識別されてよい。
【０００６】
いくつかの実装では、接続可能なコンポーネントの識別は、接続可能なコンポーネントが筐体に接続されているか否かを識別してよい。他の実装では、接続可能なコンポーネントの識別は、接続されている接続可能なコンポーネントの種類を識別してよい。そのような実装では、筐体は電子デバイスを収容してよく、電子デバイスは、接続されている接続可能なコンポーネントの種類に基づいて構成されてよい。更に他の実装では、接続可能なコンポーネントの識別は、接続可能なコンポーネントが配置されている位置を識別してよい。そのような実装では、筐体は電子デバイスを収容してよく、電子デバイスは、接続されている接続可能なコンポーネントの位置に基づいて構成されてよい。
【０００７】
いくつかの実施形態では、接続可能なコンポーネントの識別のための方法は、少なくとも１つの接続可能なコンポーネントを少なくとも１つの筐体に接続することと、少なくとも１つの接続可能なコンポーネントの少なくとも１つの識別素子を検出するように、少なくとも１つの筐体の少なくとも１つのセンサを用いることと、少なくとも１つのセンサを用いて、少なくとも１つの接続可能なコンポーネントを識別することと、を含んでよい。
【０００８】
様々な実施形態では、接続可能なコンポーネントの識別のためのシステムは、少なくとも１つの筐体と、少なくとも１つの筐体に接続可能な、少なくとも１つの接続可能なコンポーネントと、少なくとも１つの接続可能なコンポーネントに連結された少なくとも１つの識別素子と、少なくとも１つの接続可能なコンポーネントが、少なくとも１つの筐体に接続されている場合に、少なくとも１つの識別素子を検出する、少なくとも１つの筐体に連結された少なくとも１つのセンサと、を備えてよい。少なくとも１つの接続可能なコンポーネントは、少なくとも１つのセンサに少なくとも基づいて識別されてよい。
【０００９】
１つ以上の実施形態では、デバイスが、少なくとも１つの筐体と、少なくとも１つの接続可能なコンポーネントが、少なくとも１つの筐体に接続されている場合に、少なくとも１つの接続可能なコンポーネントの少なくとも１つの識別素子を検出する、少なくとも１つの筐体に連結された少なくとも１つのセンサと、を含んでよい。デバイスは、少なくとも１つのセンサに少なくとも基づいて、少なくとも１つの接続可能なコンポーネントを識別してよい。
【００１０】
様々な実装では、識別素子は、１つ以上の磁気素子を含んでよく、センサは、少なくとも１つのホール効果センサを含んでよい。識別に加え、いくつかの場合では、そのような磁気素子は、接続可能なコンポーネントを筐体に接続するために、及び／又は、接続可能なコンポーネントを筐体から切り離すために用いられる接続機構の一部として用いられてよい。
【００１１】
しかし、他の実装では、識別素子は、磁気素子以外の素子であってよい。いくつかの実装では、識別素子は、少なくとも１つの近距離通信レシーバにより検出可能な少なくとも１つの近距離通信トランスミッタ、少なくとも１つの光学検出器により検出可能な少なくとも１つの有色インジケータ、少なくとも１つのバーコードリーダーにより検出可能な少なくとも１つのバーコード、少なくとも１つの機械的機構検出器により検出可能な少なくとも１つの機械的機構、少なくとも１つの接点により検出可能な少なくとも１つの電極、少なくとも１つの赤外線検出器により検出可能な少なくとも１つの赤外線放射器、少なくとも１つの光検出器により検出可能な少なくとも１つの発光素子、及び／又は、接続可能なコンポーネントを識別するために用いられ得る任意の他のそのような素子、であってよい。
【００１２】
識別素子が多数の磁気素子である実施形態では、磁気素子は個別の磁気素子であってよい。あるいは、磁気素子は、より大きい磁気素子の個々に制御可能な磁気面であってよい。そのような実施形態では、磁気素子は、１つ以上のホール効果センサにより検出可能であってよい１つ以上のコードをエンコードするよう構成されてよい。
【００１３】
いくつかの場合では、接続可能なコンポーネントは、筐体内に位置する１つ以上のセンサに向かう方向に、接続可能なコンポーネントを移動させることにより、筐体に接続されてよい。他の場合では、接続可能なコンポーネントは、筐体内に位置する１つ以上のホール効果センサに平行な方向に、接続可能なコンポーネントを移動させることにより、筐体に接続されてよい。
【００１４】
様々な実装では、センサは、筐体内に完全に封入されてよい。いくつかのそのような実装では、筐体は防水であってよい。しかし、他の実装では、センサは、筐体の少なくとも１つの外部表面上に少なくとも部分的に配置されてよい。
【００１５】
上述の概略的な説明、及び以下の詳細な説明の両方は例示及び解説を目的としており、本開示を必ずしも限定するものでないことが理解されるであろう。本明細書に含まれており、その一部を成す添付図面は、本開示の主題を示す。あわせて、説明及び図面は、本開示の原理の説明に供する。
【図面の簡単な説明】
【００１６】
【図１】接続可能なコンポーネントの識別のための、第１の例のシステムを示すブロック図である。
【図２】接続可能なコンポーネントの識別のための、第２の例のシステムを示すブロック図である。
【図３】接続可能なコンポーネントの識別のための、第３の例のシステムを示すブロック図である。
【図４】接続可能なコンポーネントの識別のための、第４の例のシステムを示すブロック図である。
【図５】接続可能なコンポーネントの識別のための、第５の例のシステムを示すブロック図である。
【図６Ａ】第１の接続位置にある接続可能なコンポーネントを示す、接続可能なコンポーネントの識別のための第６の例のシステムを示すブロック図である。
【図６Ｂ】第２の接続位置にある接続可能なコンポーネントを示す、図６Ａのシステムを示す。
【図７】接続可能なコンポーネントの識別のための方法を示す方法図である。この方法は、図１〜図６Ｂのシステムにより行われてよい。
【図８】図１〜図６Ｂの筐体内に収容されてよい電子デバイスのブロック図である。
【発明を実施するための形態】
【００１７】
以下の説明は、本開示の様々な要素を具現化するサンプルシステム、方法、及びコンピュータプログラム製品を含む。しかし、説明された開示は、本明細書に説明する形態に加え、様々な形態にて実施されてよいことが理解されるべきであろう。
【００１８】
本開示は、接続可能なコンポーネントの識別のためのシステム及び方法を開示する。接続可能なコンポーネントは、筐体に接続されてよい。筐体のセンサが、接続可能なコンポーネントの識別素子を検出するよう用いられてよい。接続可能なコンポーネントは、少なくとも１つのセンサを用いて識別されてよい。
【００１９】
いくつかの実装では、接続可能なコンポーネントの識別は、接続可能なコンポーネントが筐体に接続されているか否かを識別してよい。
【００２０】
他の実装では、接続可能なコンポーネントの識別は、接続されている接続可能なコンポーネントの種類を識別してよい。そのような実装では、筐体は電子デバイスを収容してよく、電子デバイスは、接続されている接続可能なコンポーネントの種類に基づいて構成されてよい。
【００２１】
更に他の実装では、接続可能なコンポーネントの識別は、接続可能なコンポーネントが配置されている位置を識別してよい。そのような実装では、筐体は電子デバイスを収容してよく、電子デバイスは、接続されている接続可能なコンポーネントの位置に基づいて構成されてよい。
【００２２】
いくつかの実装では、接続可能なコンポーネントは、１つ以上のウォッチバンドであってよい。そのような実装では、筐体は、１つ以上のウォッチボディを含んでよい。しかし、それは一例であることが理解される。他の実装では、接続可能なコンポーネントは、例として、モバイルコンピューティングデバイスに接続するコネクタ、バックルに接続するベルト、タブレットコンピューティングデバイスに接続するキーボードなど、任意の種類の筐体に接続してよい任意の種類のコンポーネントを含んでよい。
【００２３】
様々な実装では、識別素子は、１つ以上の磁気素子（例として、永久磁石、電磁石など）を含んでよく、センサは、少なくとも１つのホール効果センサ（例えば、磁場に応じて出力電圧を変化させるトランスデューサ）を含んでよい。識別に加え、いくつかの場合では、そのような磁気素子は、接続可能なコンポーネントを筐体に接続するために、及び／又は、接続可能なコンポーネントを筐体から切り離すために用いられる接続機構の一部として用いられてよい。
【００２４】
しかし、他の実装では、識別素子は、磁気素子以外の素子であってよい。いくつかの実装では、識別素子は、少なくとも１つの近距離通信レシーバにより検出可能な少なくとも１つの近距離通信トランスミッタ、少なくとも１つの光学検出器により検出可能な少なくとも１つの有色インジケータ、少なくとも１つのバーコードリーダーにより検出可能な少なくとも１つのバーコード、少なくとも１つの機械的機構検出器により検出可能な少なくとも１つの機械的機構、少なくとも１つの接点により検出可能な少なくとも１つの電極、少なくとも１つの赤外線検出器により検出可能な少なくとも１つの赤外線放射器、少なくとも１つの光検出器により検出可能な少なくとも１つの発光素子、及び／又は、接続可能なコンポーネントを識別するために用いられ得る任意の他のそのような素子、であってよい。
【００２５】
識別素子が多数の磁気素子である実施形態では、磁気素子は個別の磁気素子であってよい。あるいは、磁気素子は、より大きい磁気素子の個々に制御可能な磁気面であってよい。そのような実施形態では、磁気素子は、１つ以上のホール効果センサにより検出可能であってよい１つ以上のコードをエンコードするよう構成されてよい。
【００２６】
いくつかの場合では、接続可能なコンポーネントは、筐体内に位置する１つ以上のホール効果センサに向かう方向に、接続可能なコンポーネントを移動させることにより、筐体に接続されてよい。そのような場合では、それぞれが磁気素子の１つを検出し、それにより、接続可能なコンポーネントを識別するために用いられてよい内部にエンコードされたコードを協働的に検出する、複数のホール効果センサが用いられてよい。
【００２７】
他の場合では、接続可能なコンポーネントは、筐体内に位置する１つ以上のホール効果センサに平行な方向に、接続可能なコンポーネントを移動させることにより、筐体に接続されてよい。例えば、ホール効果センサが、筐体のコーナーに配置されてよく、接続可能なコンポーネントの接続時に、接続可能なコンポーネントが、ホール効果センサに平行に移動される際に、ホール効果センサが磁気素子のそれぞれを検出してよい（及び、それにより、接続可能なコンポーネントを識別するよう用いられてよい内部にエンコードされたコードを検出してよい）。
【００２８】
別の例として、ホール効果センサが、筐体の相対するコーナーに配置されてよい。そのような一例では、接続可能なコンポーネントを、２つのホール効果センサのいずれか１つが配置されているコーナーから、他のホール効果センサに向かってホール効果センサに平行な方向に、移動させることにより、接続可能なコンポーネントは接続されてよい。そのようにすることで、そのホール効果センサはそれぞれ、磁気素子のそれぞれを検出してよく、それにより、接続可能なコンポーネントを識別するよう用いられてよい、内部にエンコードされたコードを検出してよい。
【００２９】
様々な実装では、センサは、筐体内に完全に封入されてよい。いくつかのそのような実装では、筐体は防水であってよい。しかし、他の実装では、センサは、筐体の少なくとも１つの外部表面上に少なくとも部分的に配置されてよい。
【００３０】
図１は、接続可能なコンポーネントの識別のための、第１の例のシステム１００を示すブロック図である。示すように、システムは、筐体１０１と、筐体に接続されてよい接続可能なコンポーネント１０２と、を含んでよい。この例では、接続可能なコンポーネントは、筐体に向かう方向１０５に、接続可能なコンポーネントを移動させることにより、筐体に接続されてよい。
【００３１】
示すように、筐体１０１はウォッチボディであり、接続可能なコンポーネントは、ウォッチバンド１０２である。しかし、それは一例であることが理解される。様々な実装では、筐体は、ウォッチボディ以外のアイテム（例として、ラップトップコンピューティングデバイス、デスクトップコンピューティングデバイス、モバイルコンピューティングデバイス、タブレットコンピューティングデバイス、スマートフォン、携帯電話、デジタルメディアプレーヤ、バックル、着用可能なデバイス、及び／又は任意の他のそのようなアイテム）であってよく、接続可能なコンポーネントは、それらに接続可能な任意のコンポーネント（例として、コネクタ、キーボード、カバー、外部デバイス、及び／又は任意の他のそのような接続可能なコンポーネント）であってよい。
【００３２】
筐体１０１は、１つ以上のセンサ１０３を含んでよい。更に、接続可能なコンポーネント１０２は、１つ以上の識別素子１０４を含んでよい。接続可能なコンポーネントが筐体に接続されている場合に、センサは識別素子を検出してよい。識別素子の検出に少なくとも基づいて、接続可能なコンポーネントは識別されてよい。
【００３３】
例えば、識別素子１０４は、１つ以上の磁気素子（例として、１つ以上の永久磁石、電磁石など）であってよい。この例では、センサ１０３は、１つ以上のホール効果センサであってよい。接続可能なコンポーネント１０２が筐体１０１に接続されている場合に、ホール効果センサは、磁気素子を検出してよい。
【００３４】
いくつかの場合では、センサ１０３は、接続可能なコンポーネントが接続されているか否かを検出することにより、接続可能なコンポーネント１０２を識別してよい。そのようにすることで、センサがホール効果センサであり、識別素子１０４が磁気素子である場合に、磁気素子を検出するホール効果センサは、いくつかの種類の接続可能なコンポーネントが接続されていることを識別してよい。
【００３５】
筐体１０１が電子デバイスを収容する場合では、電子デバイスはそれ自体を、接続可能なコンポーネント１０２が接続されている場合には１つの様式にて、接続可能なコンポーネントが接続されていない場合には別の様式にて構成してよい。例えば、電子デバイスは、接続可能なコンポーネントが接続されている場合には、「接続可能なコンポーネントが接続されています」アイコンを画面に表示してよく、接続可能なコンポーネントが接続されていない場合には、「接続可能なコンポーネントが接続されていません」アイコンを画面に表示してよい。
【００３６】
他の場合では、センサ１０３は、識別素子１０４によりエンコードされた１つ以上のコードを検出することにより、接続可能なコンポーネント１０２を識別してよい。本例では、識別素子は、単一の磁気素子であってよい。しかし、単一の磁気素子であっても、複数の種類のバンドに対応するコードをエンコードしてよい。例えば、磁気素子は、「ビジネスユース」タイプの接続可能なコンポーネントに対しては正（例えば、＋又は「北」）に分極された表面を、「ホームユース」タイプの接続可能なコンポーネントに対しては負（例えば、−又は「南」）に分極された表面を、及び「スポーツユース」タイプの接続可能なコンポーネントに対しては正に分極された表面及び負に分極された表面の組み合わせを提示するよう構成されてよい。そのようにすることで、接続可能なコンポーネントが、ビジネスユースであるか、ホームユースであるか、又はスポーツユースであるかが、ホール効果センサにより検出された、表面の極性に基づいて識別されてよい。
【００３７】
電子デバイスが筐体１０１内に収容される場合では、電子デバイスはそれ自体を、接続可能なコンポーネント１０２の第１の種類が接続されている場合には１つの様式にて、接続可能なコンポーネントの第２の種類が接続されている場合には別の様式にて構成してよい。例えば、電子デバイスがウォッチである実装では、電子デバイスは、ビジネスユースタイプの接続可能なコンポーネントが取り付けられている場合には、２４時間フォーマットでの時刻及び計算機アプリケーションを、ホームユースタイプの接続可能なコンポーネントが取り付けられている場合には、１２時間フォーマットでの時刻を、及び、スポーツユースタイプの接続可能なコンポーネントが取り付けられている場合には、ストップウォッチアプリケーションを表示してよい。接続可能なコンポーネントの検出された種類が切り替わると、電子デバイスはそれ自体を、それに従って再構成してよい。
【００３８】
更に別の例では、タブレットコンピューティングデバイスが筐体１０１内に収容されてよく、キーボード又はカバータイプの接続可能なコンポーネント１０２が接続されてよい。そのような場合では、タブレットコンピューティングデバイスはそれ自体を、キーボード接続可能コンポーネントタイプが接続されている場合には、ワードプロセッシングアプリケーションを表示するよう構成してよく、カバー接続可能コンポーネントタイプが接続されている場合には、それ自体を電力ハイバネーション状態にするよう構成してよい。
【００３９】
接続可能なコンポーネント１０２は、筐体１０１に、図示しない様々な異なる接続機構を介して接続されてよい。例えば、接続可能なコンポーネント及び／又は筐体は、方向１０５に共に近づけられた場合に、接続可能なコンポーネント及び筐体を接続するよう磁気によって取り付き、及び／又は（ボタンを押すことで磁石の極性を反転させ、接続可能なコンポーネントを筐体から反発させることなどにより）接続可能なコンポーネント及び筐体を切り離すよう磁気によって離れてよい、１つ以上の硬磁性（永久磁石）又は軟磁性（磁石ではないが、磁化要素の近接に応じて磁性を有する鉄金属などの材料）を含んでよい。別の例として、接続可能なコンポーネント及び／又は筐体は、抜き差しピン、及び、抜き差しピンを挿入してよい開口などの、１つ以上の機械的アタッチメント機構を含んでよい。
【００４０】
用いられる接続機構の種類に関わらず、いくつかの場合では、識別素子１０４は、接続機構の一部であってよい。例えば、磁気的接続機構が用いられており、識別素子が少なくとも１つの磁気素子である実装では、識別素子は、筐体１０１の硬磁気素子及び／又は軟磁気素子に磁気によって取り付くよう動作可能であってよい。機械的接続機構が用いられており、識別素子が磁気素子である場合では、磁気素子は、機械的接続の係合を目的として、筐体１０１に対する、接続可能な要素１０２の位置決めを補助してよい。
【００４１】
図２は、接続可能なコンポーネントの識別のための、第２の例のシステム２００を示すブロック図である。本例を、図１の例と対比すると、この例でのセンサは複数のセンサ２０３Ａ〜センサ２０３Ｄであり、識別素子は、複数の識別素子２０４Ａ〜識別素子２０４Ｄである。この例では、接続可能な要素２０２が、筐体２０１に向けて、方向２０５に近づけられた場合に、複数のセンサはそれぞれ、複数の識別素子の各１つを検出する。このようにして、複数の識別素子の配列は、接続可能なコンポーネントの種類を表し得る、１つ以上のコードをエンコードする。
【００４２】
例えば、複数の識別素子２０４Ａ〜識別素子２０４Ｄは磁気素子であってよく、複数のセンサ２０３Ａ〜センサ２０３Ｄは複数のホール効果センサであってよい。そのような一例では、複数の識別素子は、複数のホール効果センサに対向する複数の識別素子の極性に基づいて、異なる接続可能なコンポーネント２０２の種類を表してよい。「＋＋＋＋」の極性パターンは、第１の種類のバンドを表してよく、「−−−−」の極性パターンは、第２の種類のバンドを表してよい。加えて、「＋−＋−」のパターンは、第３の種類のバンドを表してよく、「−＋−−」のパターンは、第４の種類のバンドを表してよい、以降同様。ここで、＋は正極性を示し、−は負極性を示す。
【００４３】
加えて、上記の例は、一方の極性、又は他方の極性がホール効果センサに対向することを説明しているが、これは一例であることが理解される。様々な場合では、それぞれの極性の１つ以上の部位が、ホール効果センサに対向してよく、ホール効果センサにより検出されてよい。
【００４４】
図３は、接続可能なコンポーネントの識別のための、第３の例のシステム３００を示すブロック図である。本例を、図２の例と対比すると、この例でのセンサは、筐体３０１のコーナーに配置された単一のセンサ３０３であり、接続可能な要素３０２は、センサが位置する筐体のコーナーから、反対側のコーナーへ、センサに平行な方向３０５に、方向３０５に沿って移動することにより、筐体に接続する。接続可能な要素の筐体への接続にしたがい、様々な識別素子３０４Ａ〜識別素子３０４Ｄは順次、方向３０５に沿ってセンサ３０３の傍を通過してよい（及び、センサ３０３により検出されてよい）。そのようにすることで、識別素子は、接続可能な要素の種類を表すコードをエンコードするよう構成されてよく、接続中に単一のセンサにより検出可能であってよい。
【００４５】
接続可能なコンポーネント３０２は、筐体３０１に、図示しない様々な異なる接続機構を介して接続されてよい。例えば、接続可能なコンポーネント及び／又は筐体は、接続可能なコンポーネントを筐体に接続する目的で、１つ以上のチューブに挿入される（及び／又は、接続可能なコンポーネントを筐体から切り離す目的で、チューブから取り外される）１つ以上のロッドを含んでよい。
【００４６】
図４は、接続可能なコンポーネントの識別のための、第４の例のシステム４００を示すブロック図である。本例を、図３の例と比較すると、識別素子４０６Ａ〜識別素子４０６Ｄは、図３の、個別の、及び分離された識別素子３０３Ａ〜識別素子３０３Ｄとは対照に、結合された一致素子４の、個々に制御可能な表面であってよい。識別素子４０６Ａ〜識別素子４０６Ｄが磁気素子である実装では、識別素子４０６Ａ〜識別素子４０６Ｄは、個々に制御可能な磁気素子であってよい。
【００４７】
図５は、接続可能なコンポーネントの識別のための、第５の例のシステム５００を示すブロック図である。本例を、図３の例と対比すると、追加センサ５０７が、センサ５０３から反対側のコーナーに配置されてよい。更に、この例では、接続可能なコンポーネント５０１は、センサ５０３が配置されているコーナーから、センサ５０７が配置されているコーナーへ、方向５０５に、接続可能な要素を移動させること、又は、センサ５０７が配置されているコーナーから、センサ５０３が配置されているコーナーへ、方向５０８に、接続可能な要素を移動させること、のいずれかにより、筐体に接続されてよい。このようにして、接続可能なコンポーネントは、いずれの側からも接続され得、接続可能なコンポーネントは、依然として識別されてよい。
【００４８】
いくつかの場合では、接続可能なコンポーネント５０２が筐体５０１に接続される際に、センサ５０３及びセンサ５０７が、識別素子５０４Ａ〜識別素子５０４Ｄに異なる順序で遭遇するため、センサ５０３及びセンサ５０７により行われる検出は、異なって取り扱われてよい。いくつかの場合では、識別素子によりエンコードされたコードは、センサ検出の分析が、センサ５０３及びセンサ５０７の両方に対して同じとなるよう、前方向と後方向で同じであってよい。例えば、識別素子が磁気素子であった場合では、「＋＋−−」のパターン及び「−−＋＋」のパターンは両方共、ビジネスユースの接続可能な要素を示してよく、「−＋−＋」のパターン及び「＋−＋−」のパターンは両方共、ホームユースの接続可能な要素を示してよい。
【００４９】
しかし、他の場合では、センサ５０３により行われたセンサ検出は、識別素子が非常に多数のコードをエンコードできるようにする目的で、センサ５０７により行われるセンサ検出とは反対に分析されてよい。例えば、識別素子が磁気素子であった場合では、「＋＋−−」のパターンは、センサ５０３により検出された場合に、ビジネスユースの接続可能な要素を示してよく、「＋＋−−」のパターンは、センサ５０７により検出された場合に、ホームユースの接続可能な要素を示してよい。更に、「−−＋＋」のパターンは、センサ５０３により検出された場合に、ホームユースの接続可能な要素を示してよく、「−−＋＋」のパターンは、センサ５０７により検出された場合に、ビジネスユースの接続可能な要素を示してよい。
【００５０】
加えて、上記の図１〜図５の説明は、接続可能なコンポーネントを識別することを、存在する／しない、あるいは、ビジネスユース、ホームユース、及び／又はスポーツユースなどの種類のいずれかとして説明しているが、これらは例であると理解される。他の接続可能なコンポーネントタイプが識別されてよく、接続された筐体に収容された電子デバイスがそれに従って変更されてよい。例えば、接続可能なコンポーネントは、電子デバイスと同じ製造業者、又はサードパーティにより製造されたものとして識別されてよい。したがって、電子デバイスは、製造業者の接続可能なコンポーネントが接続されている場合には、特定の特別機能（例として、オフィスプログラム）を有効にしてよく、サードパーティ製コンポーネントが接続されている場合には、ブランドロイヤリティの利益のために、それらの機能を無効にしてよい。
【００５１】
別の例として、接続可能なコンポーネントは、筐体に収容された電子デバイスのための電力モード又は電力モード一式、筐体に収容された電子デバイスのために用いる通信設定、筐体に収容された電子デバイスがそのために構成されるユーザ、及び／又は、様々な異なる表示、を示す種類であってよい。本質的に、接続可能なコンポーネントを識別することは、接続可能なコンポーネントの種類により表される任意の種類の情報の１つ以上のアイテムを識別してよく、筐体に収容された電子デバイスは、その情報に基づく任意の種類の構成、又は修正を行ってよい。情報に応じたそのような構成、又は修正は、特定の接続可能なコンポーネントが接続されている場合に実行されるべき１つ以上のユーザプリファレンスの構成、修正、及び／又は変更を、ユーザが指定可能であり得るように、いくつかの場合において、ユーザにより構成されるものであってよい。いずれにしても、本明細書に示す例は単に例であり、限定を意図するものではない。
【００５２】
例えば、コンピューティングデバイスが、筐体内に収容されてよい。表示が、金属製の接続可能なコンポーネントが取り付けられていることを示す場合は、コンピューティングデバイスはそれ自体を、金属アイコン（及び／又は、ユーザインタフェースのテーマなど）を提示するよう構成してよい。同様に、特定の色のバンドが取り付けられている場合は、コンピューティングデバイスはそれ自体を、その特定の色のアイコン（及び／又は、その特定の色の背景色など）を提示するよう構成してよい。又は、別の例として、シリコンバンドが取り付けられている場合は、コンピューティングデバイスはそれ自体を、１つ以上のスポーティングアプリケーション関連アイコンを「ホーム」画面上に提示するよう、及び／又は、そのようなアプリケーションを実行可能にするよう構成してよい。
【００５３】
更に、上記の図１〜図５は、識別素子が、ホール効果センサに対向する磁気素子の表面を、正極性又は負極性を有するものとして構成することにより、コードをエンコードする磁気素子である実施形態を説明するが、これは一例であることが理解される。そのような磁気素子は、本開示の範囲から逸脱することなく、単一の極性面、又は両極性面の特定の配向のいずれかを有するよう構成されてよい。更に、そのような磁気素子は、磁場が、強又は弱か；弱、強、又は中か；様々な強度か；などにより、情報がエンコードされるよう、磁場の特定の強度を用いて構成されてよい。加えて、いくつかの磁気素子は、磁場を有しない（又は、「ヌル（null）」）と構成されてよく、磁場がないことによって情報をエンコードしてよい。加えて、いくつかの場合（例として、磁気素子のうちの任意の１つ以上が電磁石）では、磁気素子の磁場は、パターンを提示するために、１つ以上のコードをパルスにするために、及び／又は磁場を変えることで他のそのような機能を実行するために、時間と共に変わってよい。
【００５４】
加えて、図１〜図５に示す様々なセンサ及び識別素子は、図１〜図５の様々な筐体又は接続可能なコンポーネント内にそれぞれ封入されたものとして示されている。示すように、筐体及び／又は接続可能な要素は、様々なセンサが依然として、様々な識別素子を検出可能である状態で、様々なセンサ及び識別素子を外部環境から保護してよい。いくつかの場合では、筐体及び／又は接続可能な要素は、防水、密封、などされてよく、したがって、様々なセンサ及び識別素子を更に保護する。
【００５５】
しかし、それらは例であることが理解される。様々な実装では、様々なセンサ及び／又は識別素子は、本開示の範囲から逸脱することなく、部分的に露出してよく、及び／又は様々な筐体及び／又は接続可能な要素から完全に外部にあってよい。いくつかの実装では、センサ及び／又は識別素子は、センサが、筐体及び／又は識別素子により分離されている場合に、識別素子を検出できない種類であってよい。
【００５６】
その上、接続可能なコンポーネントの有無、及び接続された接続可能なコンポーネントの種類に加えて、接続されたコンポーネントは、複数の位置間を移動可能であってよく、接続可能なコンポーネントを識別することが、接続可能なコンポーネントが接続されている位置を識別することを含んでよい。
【００５７】
例えば、図６Ａは、筐体６０１に対して第１の接続位置にある接続可能なコンポーネント６０２を示す、接続可能なコンポーネントの識別のための第６の例のシステム６００を示すブロック図である。この第１の位置では、センサ６０３は、接続可能なコンポーネントが第１の位置にあることを判定するよう、識別素子６０４の配向を検出できてよい。
【００５８】
図６Ｂは、筐体６０１に対して第２の接続位置にある接続可能なコンポーネント６０２を示す、図６Ａのシステムを示す。示すように、接続可能なコンポーネントの、第１の位置から第２の位置への動きは、識別素子６０４を回転させる。センサ６０３は、接続可能なコンポーネントが第２の位置にあることを判定するよう、識別素子の配向における変化を検出してよい。
【００５９】
筐体６０１、及び／又はそこに収容された電子デバイスは、接続可能なコンポーネントが第１の位置又は第２の位置（及び／又は、他の実施形態における追加的位置）にあるかに基づいて変わってよい。例えば、筐体は、ディスプレイ付きウォッチのための筐体であってよい。接続可能なコンポーネント６０２は、ウォッチが「未装着」の場合は第１の位置に、ウォッチが「装着」の場合は第２の位置にあってよい。そのようにすることで、ウォッチは、ウォッチが未装着の場合は、ユーザが時間を見る必要がないという想定の下で、ディスプレイを暗くすることにより、「低電力モード」に切り替わってよい。反対に、ウォッチは、ウォッチが装着の場合は、ユーザが、ウォッチを装着中に時間を見る必要があるだろうという想定の下で、ディスプレイを明るくすることにより、「通常電力モード」に切り替わってよい。
【００６０】
示すように、この実施形態における識別素子６０４は、正極性面を、ホール効果センサ６０３に、第１の位置にて提示するよう、第１の位置に配向されている磁気素子であり、正極性面及び負極性面の組み合わせを、第２の位置にて提示する磁気素子である。しかし、それは一例であることが理解される。他の実装では、本開示の範囲から逸脱することなく、識別素子は、様々な異なる種類の識別素子であってよく、及び／又は、センサは、識別素子の配向を検出するよう動作可能である、様々な異なる種類のセンサであってよい。
【００６１】
図７は、接続可能なコンポーネントの識別のための方法を示す方法図である。この方法は、図１〜図６Ｂのシステムにより行われてよい。
【００６２】
フローはブロック７０１にて開始し、ブロック７０２に進み、ここで、接続可能な要素が筐体に接続される。フローは、次に、ブロック７０３に進み、ここで、筐体の少なくとも１つのセンサが用いられ、接続可能な要素の少なくとも１つの識別素子を検出する。フローは、次に、ブロック７０４に進む。
【００６３】
ブロック７０４では、接続可能な要素が、少なくとも１つのセンサを用いて識別される。識別は、識別素子のセンサ検出に少なくとも部分的に基づいてよい。フローは、次に、ブロック７０５に進んで終了する。
【００６４】
図８は、図１〜図６Ｂの筐体内に収容されてよい電子デバイス８０１のブロック図である。電子デバイスは、任意の種類の電子デバイスであってよく、１つ以上の処理ユニット８１１、１つ以上の通信コンポーネント８１３（例として、ＷｉＦｉ（登録商標）通信コンポーネント、Ｂｌｕｅｔｏｏｔｈ（登録商標）通信コンポーネント、Ｅｔｈｅｒｎｅｔ（登録商標）通信コンポーネント、衛星通信コンポーネント、セルラー通信コンポーネント、などの任意の種類の通信コンポーネントであってよい）、１つ以上のセンサ８０３（任意の種類のセンサであってよい）、及び／又は１つ以上の非一時的記憶媒体８１２（磁気記憶媒体、光学記憶媒体、光磁気記憶媒体、読み出し専用メモリ、ランダムアクセスメモリ、消去可能プログラマブルメモリ、フラッシュメモリ、などの形態を取ってよいがこれらに限定されない）、を含んでよい。
【００６５】
加えて、電子デバイス８０１は、示されるもの以外の１つ以上の他のコンポーネントを含んでよい。いくつかの実施形態では、処理ユニット８１１は、１つ以上の電子デバイス機能を行うよう、非一時的記憶媒体８１２内に記憶された１つ以上の命令を実行してよい。そのような機能は、例として、上述の及び図７に示す機能を含んでよい。
【００６６】
先に説明し、添付図面に示すように、本開示は、接続可能なコンポーネントの識別のためのシステム及び方法を開示する。接続可能なコンポーネントは、筐体に接続されてよい。筐体のセンサが、接続可能なコンポーネントの識別素子を検出するよう用いられてよい。接続可能なコンポーネントは、少なくとも１つのセンサを用いて識別されてよい。
【００６７】
いくつかの実装では、接続可能なコンポーネントの識別は、接続可能なコンポーネントが筐体に接続されているか否かを識別してよい。他の実装では、接続可能なコンポーネントの識別は、接続されている接続可能なコンポーネントの種類を識別してよい。そのような実装では、筐体は電子デバイスを収容してよく、電子デバイスは、接続されている接続可能なコンポーネントの種類に基づいて構成されてよい。更に他の実装では、接続可能なコンポーネントの識別は、接続可能なコンポーネントが配置されている位置を識別してよい。そのような実装では、筐体は電子デバイスを収容してよく、電子デバイスは、接続されている接続可能なコンポーネントの位置に基づいて構成されてよい。
【００６８】
本開示では、開示された方法は、命令セット又はデバイスにより読み取り可能なソフトウェアとして実装されてよい。更に、開示された方法におけるステップの具体的な順序又は階層は、サンプルアプローチの例であることが理解される。他の実施形態では、方法におけるステップの具体的な順序又は階層は、開示の主題の範囲内にて再編成され得る。付随する方法の特許請求の範囲は、サンプル順序における様々なステップの要素を提示し、提示の具体的な順序又は階層を必ずしも限定することを意図しない。
【００６９】
説明された開示は、本開示によるプロセスを実行するように、コンピュータシステム（又は、他の電子装置）をプログラムするために使用することが可能な命令を記憶させた、非一時的機械可読媒体を含み得る、コンピュータプログラム製品若しくはソフトウェアとして提供することができる。非一時的機械可読媒体は、機械（例えば、コンピュータ）によって読み取り可能な形態（例えば、ソフトウェア、処理アプリケーション）で情報を記憶するための、任意の機構を含む。非一時的機械可読媒体は、磁気記憶媒体（例えば、フロッピー（登録商標）ディスク、ビデオカセット、など）、光学記憶媒体（例えば、ＣＤ−ＲＯＭ）、光磁気記憶媒体、読み出し専用メモリ（ＲＯＭ）、ランダムアクセスメモリ（ＲＡＭ）、消去可能プログラマブルメモリ（例えば、ＥＰＲＯＭ及びＥＥＰＲＯＭ）、フラッシュメモリ、などの形態を取ってよいがこれらに限定されない。
【００７０】
本開示及びその付随する利点の多くは、前述により理解されるであろうことが信じられ、コンポーネントの形態、構造、及び配列における様々な変更が、開示の主題から逸脱することなく、又はその有形の利点のすべてを損なうことなく、行われてよいことが明白となるであろう。説明された形態は単に説明的なものであり、そのような変更を包含し、含むことは、以下の特許請求の範囲の意図するところである。
【００７１】
様々な実施形態を参照して、本開示を説明してきたが、これらの実施形態は例示的なものであり、本開示の範囲は、それらに限定されるものではないことが理解されるであろう。多くの変形、修正、追加、及び改善が可能である。より全般的には、本開示による実施形態は、特定のコンテキスト又は実施形態にて説明されてきた。本開示の様々な実施形態では、機能性を、ブロック内で異なる方式で分離又は組み合わせることができ、あるいは異なる専門用語で説明することもできる。これらの変形、修正、追加、及び改善、並びに他の変形、修正、追加、及び改善は、以下の特許請求の範囲で定義されるような、本開示の範囲内に包含することができる。
【図１】
0006333985.tif 000002
【図２】
0006333985.tif 000003
【図３】
0006333985.tif 000004
【図４】
0006333985.tif 000005
【図５】
0006333985.tif 000006
【図６Ａ】
0006333985.tif 000007
【図６Ｂ】
0006333985.tif 000008
【図７】
0006333985.tif 000009
【図８】
0006333985.tif 000010